(57)【要約】【課題】  ゴルフクラブのグリップに沿って延びる段部(50)を手袋着用時に掌部の表面に形成する。【解決手段】  方形、角形又は矩形断面のパッド(10)は、面状止着具(13)によって手袋本体(11)の掌部(11b)裏面に着脱可能且つ位置調節可能に取付けられる。面状止着具は、分離可能な第１ファスナ要素(14)及び第２ファスナ要素(15)からなる。第１ファスナ要素は、掌部裏面に固定され、第２ファスナ要素は、芯材の二面に一体的に取付けられる。【選択図】    図12
2005177383.tif 000002
【特許請求の範囲】
【請求項１】
利き腕と反対側の手に着用されるゴルフ用手袋であって、ゴルフクラブのグリップの握りを適正化するためのパッドを備えたゴルフ用手袋において、
前記パッドは、適度な形状保持性を有する方形、角形又は矩形断面の芯材を有し、面状止着具によって手袋本体の掌部裏面に着脱可能且つ位置調節可能に取付けられ、
前記面状止着具は、分離可能な第１ファスナ要素及び第２ファスナ要素からなり、前記第１ファスナ要素は、前記掌部裏面に固定され、前記第２ファスナ要素は、前記芯材の少なくとも二面に一体的に取付けられ、
前記パッドは、前記第１及び第２ファスナ要素の止着により前記掌部の裏面に固定され、ゴルフクラブのグリップに沿って延びる段部を手袋着用時に前記掌部の表面に形成することを特徴とするゴルフ用手袋。
【請求項２】
前記パッドは、芯材を被覆するカバーを有することを特徴とする請求項１に記載のゴルフ用手袋。
【請求項３】
前記カバーの一部が、前記第２ファスナ要素によって形成されることを特徴とする請求項２に記載のゴルフ用手袋。
【請求項４】
前記第１ファスナ要素は、合成樹脂基材の表面全域に合成樹脂製の多数のループ状起毛を形成した面ファスナの雌側部材からなり、前記第２ファスナ要素は、合成樹脂基材の表面全域に多数のフック状微細突起を形成した面ファスナの雄側部材からなることを特徴とする請求項１乃至３のいずれか１項に記載のゴルフ用手袋。
【請求項５】
前記芯材は、繊維質材料、樹脂発泡体、合成ゴム材料又はエラストマー材料で作られることを特徴とする請求項１乃至４のいずれか１項に記載のゴルフ用手袋。
【請求項６】
前記掌部裏面に取付けられた前記パッドの高さ(Ｔ)は、５mm以上に設定されることを特徴とする請求項１乃至５のいずれか１項に記載のゴルフ用手袋。
【請求項７】
前記パッドの幅(Ｗ)は、１０〜３０mmの範囲に設定され、該パッドの長さ(Ｌ)は、３５〜７０mm の範囲に設定されることを特徴とする請求項１乃至６のいずれか１項に記載のゴルフ用手袋。
【請求項８】
前記第１ファスナ要素は、中指付け根付近から小指側に斜めに延び、該第１ファスナ要素の中心線は、手袋の中心軸線に対して所定角度（α）をなして傾斜し、この角度（α）は、３０〜６０度の範囲内の角度値に設定されることを特徴とする請求項１乃至７のいずれか１項に記載のゴルフ用手袋。
【発明の詳細な説明】
【技術分野】
【０００１】
本発明は、ゴルフ用手袋に関するものであり、より詳細には、ゴルフクラブのグリップの握りを適正化するためのパッドを備えたゴルフ用手袋に関するものである。
【背景技術】
【０００２】
一般に、競技中又は練習中のゴルフプレーヤーは、利き腕と逆の手にゴルフ用手袋を着用する。右利きのゴルフプレーヤーは、左手でゴルフクラブのグリップを握持し、右手を左手の上に重ね、左利きのゴルフプレーヤーは、右手でグリップを握持し、左手を右手の上に重ねる。従って、ゴルフ用手袋は、利き手と逆の手に装着される。
【０００３】
ゴルフ用手袋は、ゴルフクラブの素振り時又はショット時に掌に肉刺（マメ）ができるのを防止することを目的とするだけではなく、グリップの滑りや回転を防止し、掌及び手指による正確なグリップ握持を容易にする。ゴルフ用手袋は又、インパクト時の衝撃や、スイングトップ時の反動、更には、ゴルフクラブのすっぽ抜け等を緩和し又は防止する上でも有効である。このため、大多数のゴルフプレーヤーは、利き手の逆の手に手袋をはめた状態でプレー中又は練習中にゴルフスイングする。
【０００４】
初心者であるか、熟練者であるかを問わず、多くのゴルフプレーヤーの認識によれば、ゴルフプレー技術の上達にとってグリップの握り方が極めて重要である。事実、グリップの握り方が不適切な場合、スイングトップ時及びインパクト時のクラブフェースが安定せず、これは、フック、スライス又はミスショットの典型的な原因である。また、グリップの握り方に問題がある場合、ショットの方向が安定せず、飛距離も延び難く、従って、ゴルフプレーのスコアは、悪化するであろう。
また、グリップの握り及びスイングが安定した熟練ゴルフプレーヤーであっても、年齢に相応して握力が低下した場合、或いは、元々握力が弱い女性ゴルフファーの場合等は、プレー中にグリップの握りが弛み易く、これにより、スコアを崩すことも少なくない。
【０００５】
グリップの握りを安定させる手段として、掌部の表面にパッドを配設したゴルフ用手袋が、実用新案登録第３０４２３５４号公報及び特開平１１−２４４４４４号公報に開示されている。この構成の手袋によれば、グリップ力の弛みをパッドにより補い、グリップの握りを適正化し得るかもしれない。
【特許文献１】実用新案登録第３０４２３５４号公報
【特許文献２】特開平１１−２４４４４４号公報
【発明の開示】
【発明が解決しようとする課題】
【０００６】
しかしながら、この種のゴルフ用手袋では、パッドが掌部の表面に露出する。パッドは、見栄えが悪く、パター使用時又はスコアーマーク時、或いは、他のプレーヤーとの握手等のようなスイング以外の各種動作時には、パッドが邪魔になることもある。
【０００７】
しかも、スイング時に生じるグリップ−パッド間の摩擦や、インパクト時の衝撃等により、比較的大きな摩擦力、擦過力又は引張・圧縮・曲げ応力がパッド及びその縫製部分に直に作用するので、パッドの位置ずれ又は早期損耗が生じ易く、また、継続使用により縫製糸が損耗し又は切断し易い。これに対し、パッドの取付け面の面積を拡大したり、縫製技術を工夫する等の対策によりパッド及び縫製部分の耐久性を改善することも可能であるが、製造コスト及びパッド寸法の制約等を考慮すると、このような改善策には限界がある。
【０００８】
掌の表面に露出したパッドは又、耐水性や、汚れの防止等を配慮した素材及び製法で製造しなければならず、これは、製造の煩雑化又は複雑化をもたらす。このため、耐水性や、汚れの防止等を考慮せずにパッドを製造可能にする対策が望まれる。
【０００９】
加えて、掌部表面に取付けたパッドは、脱落時又は取外し時に紛失し易く、パッドを紛失した手袋は、普通のゴルフ用手袋として継続使用せざるを得ない。このため、パッドの紛失を確実に防ぐ手段が必要とされる。
【００１０】
更には、ゴルフは、心理的影響を比較的受け易いスポーツである。多くのゴルフプレーヤーは、この種のパッドを備えた手袋を用いることを他のプレーヤーに意識されることを望まない。
【００１１】
本発明は、このような事情に鑑みてなされたものであり、その目的とするところは、ゴルフクラブのグリップの握りを適正化するためのパッドを備えたゴルフ用手袋において、ゴルフ用手袋の見栄えの悪化、スイング以外の動作の障害、パッドの紛失、他のプレーヤーに与える心理的影響、パッドの早期損耗、縫製糸の損耗又は切断、更には、製造工程の煩雑化又は複雑化を防止するとともに、パッドの耐水性、汚れ防止等を格別に考慮せずにパッドを製造可能にすることにある。
【課題を解決するための手段】
【００１２】
上記目的を達成すべく、本発明は、利き腕と反対側の手に着用されるゴルフ用手袋であって、ゴルフクラブのグリップの握りを適正化するためのパッドを備えたゴルフ用手袋において、
前記パッドは、適度な形状保持性を有する方形、角形又は矩形断面の芯材を有し、面状止着具によって手袋本体の掌部裏面に着脱可能且つ位置調節可能に取付けられ、
前記面状止着具は、分離可能な第１ファスナ要素及び第２ファスナ要素からなり、前記第１ファスナ要素は、前記掌部裏面に固定され、前記第２ファスナ要素は、前記芯材の少なくとも二面に一体的に取付けられ、
前記パッドは、前記第１及び第２ファスナ要素の止着により前記掌部の裏面に固定され、ゴルフクラブのグリップに沿って延びる段部を手袋着用時に前記掌部の表面に形成することを特徴とするゴルフ用手袋を提供する。
【００１３】
本発明の上記構成によれば、パッドは、手袋の着用時に掌部表面を隆起させるとともに、掌部表面に段部を形成する。段部は、ゴルフクラブの位置を規制するように働くとともに、グリップと手との間で隙間又は遊び空間が生じるのを防止する。パッドは、手袋の内側において掌部の裏面に取付けられ、外界に露出せず、従って、スイング以外の動作の障害になり難く、ゴルフ用手袋の見栄えも悪化させない。手袋の内側に配置されるパッドは、他のプレーヤーにパッドの使用を意識させずに使用でき、他のプレーヤーに心理的影響を与えず、しかも、耐水性、汚れ防止等を考慮せずに製造することができる。また、パッドは、掌部裏面から脱落したときに手袋内に留まるので、紛失し難い。更には、ゴルフクラブのグリップの摩擦力等は、手袋の掌部の素材（人工・合成皮革又は天然皮革等）を介してパッドに作用するので、パッドは損耗し難く、縫製糸の損耗又は切断も生じ難い。加えて、パッド製造材料として使用可能な材料及び製法の選択可能性が高まるので、製造工程を簡素化することが可能となる。
【発明の効果】
【００１４】
以上説明した如く、本発明の上記構成によれば、ゴルフクラブのグリップの握りを適正化するためのパッドを備えたゴルフ用手袋において、ゴルフ用手袋は、ゴルフ用手袋の見栄えの悪化、スイング以外の動作の障害、パッドの紛失、他のプレーヤーに与える心理的影響、パッドの早期損耗、縫製糸の損耗又は切断、更には、製造工程の煩雑化又は複雑化を防止するとともに、パッドの耐水性、汚れ防止等を格別に考慮せずにパッドを製造可能にすることができる。
【発明を実施するための最良の形態】
【００１５】
好ましくは、パッドの芯材は、繊維質材料、樹脂発泡体、合成ゴム材料又はエラストマー材料で製作される。例えば、繊維質材料として、紙、織布及び不織布が挙げられ、樹脂発泡体として、適度な硬度を有するウレタン樹脂発泡成形品又はメラミン樹脂発泡成形品等の樹脂発泡体、このような樹脂発泡体の熱圧縮加工品、或いは、弾力的な樹脂又はエラストマー材料の一体成形品が挙げられる。
好適には、パッドは、芯材を被覆するカバーを有する。カバーは、手袋と同等の素材（人工・合成皮革又は天然皮革等）で製作しても、或いは、織布又は不織布等で製作しても良い。
【００１６】
第２ファスナ要素は、芯材の第１面（例えば、上面）に取付けられる第１部分と、芯材の第２面（例えば、背面）に取付けられる第２部分とに分割され、第１部分及び第２部分は、縫着手段又は接着手段でカバーに固定される。変形例として、第２ファスナ要素を分割せず、第１面及び第２面に跨がって延びる連続的な第２ファスナ要素をカバーに取付けても良い。更なる変形例として、第１面及び第２面に位置するカバーの部分を第２ファスナ要素によって形成しても良い。
【００１７】
パッドとして、適度な形状保持性及び弾性変形能を有する樹脂、合成ゴム及びエラストマーの一体成形品を使用しても良い。この場合、上述のカバーを省略し、第２ファスナ要素を接着剤又は粘着テープ等で成形品の第１面（例えば、上面）及び第２面（例えば、背面）に直に固着することができる。成形品は、中空構造に成形しても、中実構造に成形しても良い。
【００１８】
好ましくは、上記第１ファスナ要素は、合成樹脂基材の表面全域に合成樹脂製の多数のループ状起毛を形成した面ファスナの雌側部材からなり、上記第２ファスナ要素は、合成樹脂基材の表面全域に多数のフック状微細突起を形成した面ファスナの雄側部材からなる。
【００１９】
好適には、掌部裏面に取付けられたパッドの高さ(Ｔ)は、５mm以上に設定され、パッドの幅(Ｗ)は、１０〜３０mmに設定され、パッドの長さ(Ｌ)は、４０〜８０mmに設定される。更に好適には、第１ファスナ要素は、中指付け根付近から小指側に斜めに延び、第１ファスナ要素の中心線は、手袋の中心軸線に対して所定角度（α）をなして傾斜し、この角度（α）は、３０〜６０度の範囲内の角度値に設定される。
【実施例１】
【００２０】
以下、添付図面を参照して、本発明の好適な実施例について詳細に説明する。
図１〜図６には、本発明の先行技術となる実願２００３−１９８０号の実用新案登録出願において本発明者等が提案したゴルフ用手袋が示されている。本発明の把握を容易にするため、先ず、本発明の先行技術に係るゴルフ用手袋について説明する。
【００２１】
図１は、ゴルフ用手袋を手の甲側から見た状態で示す部分破断断面図であり、図２は、図１に示すゴルフ用手袋を掌側から見た状態で示す正面図である。また、図３は、図２のＡ−Ａ線における拡大断面図であり、図４は、パッドの着脱方法を示すゴルフ用手袋の部分破断断面図である。
【００２２】
図１〜図４に示すゴルフ用手袋１は、手袋本体１１の内側に配置されたパッド１０を有する。手袋本体１１は、天然皮革、人工皮革又は合成皮革等の素材を型抜き加工及び縫製加工により製造した一般的なゴルフ用手袋からなり、親指、人差指、中指、薬指及び小指を挿入可能な複数のポケット部分１１ａを備える。所望により、手袋本体１１の素材には、防水加工又は防水処理が施される。手袋本体１１は、着用時にゴルフプレーヤーの手を概ね全体的に覆う。
【００２３】
図１及び図２に示すように、掌部１１ｂの裏面には、シート状の雌側ファスナ要素１４が縫い付けられる。縫い目８が、図１に破線で示されている。雌側ファスナ要素１４は、合成樹脂基材の表面全域に合成樹脂製の多数のループ状起毛１８（図３）を形成した面ファスナの雌側部材からなる。雌側ファスナ要素１４は、中指付け根付近から小指側に斜めに延びる。雌側ファスナ要素１４の中心線６は、手袋１の中心軸線５に対して角度αをなして傾斜する。角度αは、例えば、３０〜６０度の範囲内の角度値に設定される。雌側ファスナ要素１４の側縁は、手首側に向かって若干拡開する形態を有し、例えば、開き角βは、１０〜３０度の範囲内の角度値に設定される。
【００２４】
パッド１０は、図３に示す如く、シート状の雄側ファスナ要素１５と、雄側ファスナ要素１５に縫着したカバー１６と、カバー１６内に収容した芯材１７とから構成される。雄側ファスナ要素１５は、合成樹脂基材の表面全域に多数のフック状微細突起１９を形成した面ファスナの雄側部材からなり、正面視略矩形の輪郭を有する。カバー１６は、手袋本体１１と同じく、天然皮革、人工皮革又は合成皮革等の素材からなり、雄側ファスナ要素１５の裏面全体を覆うように配置される。カバー１６の外縁部は、雄側ファスナ要素１５の外縁部に整合する。これらの外縁部は、互いに縫合され、縫い目１２が、パッド１０の外周に形成される。カバー１６は、雄側ファスナ要素１５から膨出し、繊維質素材等の芯材１７が、カバー１６及び雄側ファスナ要素１５の間に充填される。
【００２５】
雌雄のファスナ要素１４、１５は、着脱可能な面状止着具１３を構成する。パッド１０の雄側ファスナ要素１５を雌側ファスナ要素１４に止着することにより、パッド１０は、手袋本体１１の掌部裏面に着脱可能且つ位置調節可能に取付けられる。芯材１７を内部に充填したパッド１０は、芯材１７の適度な形状保持性及び変形能により、図３に示す如く、中央部が若干湾曲した凸状横断面輪郭の突条を掌部裏面に形成する。
【００２６】
例えば、パッド１０が形成する突条の高さＴは、約１０mm程度に設定され、パッド１０の幅Ｗ（図１）は、約２０mmに設定され、パッド１０の長さＬ（図１）は、約６０mmに設定される。
【００２７】
図５は、パッド１０を止着した上記手袋１を着用してゴルフクラブのグリップ２を握持した状態を示す正面図であり、図６は、パッド１０により手袋１の掌部表面に形成される凸状の隆起部を示す断面図である。
【００２８】
パッド１０は、着用時に手袋１内に配置され、外部から視覚的に隠れるが、パッド１０は、手袋１の内側で人体の掌３０に当たり、掌部１１ｂを外側に膨出させる。このため、図６に示す如く、凸状隆起部の連続体からなる突条２０が、手袋１の掌部１１ｂに形成され、突条２０は、グリップ２に当接する。
【００２９】
図５に示すように、突条２０は、ゴルフクラブのグリップ２を握持した状態で、グリップ２に当接し、グリップ２の位置は、突条２０によって規制される。
【００３０】
図７は、本発明の好適な実施例に係るゴルフ用手袋の構成を手の甲側から見た状態で示す部分破断断面図であり、図８は、図７に示すゴルフ用手袋を掌側から見た状態で示す正面図である。また、図９は、図８に示す段部５０を陰影で示す拡大正面図であり、図１０は、段部５０付近の構成を手袋の内側から見た拡大裏面図であり、図１１及び図１２は、図９のＢ−Ｂ線及びＣ−Ｃ線における断面図である。なお、これらの図において、図１〜図６に示す構成要素と実質的に同じ構成要素については、同一の参照符号が付されている。
【００３１】
パッド１０は、図７に示すように、雌雄のファスナ要素１４、１５によって掌部１１ｂの裏面に取付けられ、手袋着用時に、掌部１１ｂの表面を隆起させる。本発明のゴルフ用手袋は、この点において、図１〜図６に示すゴルフ用手袋と実質的に同じ構成を有する。しかしながら、本発明のゴルフ用手袋は、図１〜図６に示すゴルフ用手袋を更に改良した構成のものであり、パッド１０は、図９〜図１２に示すように、概ね長方形の横断面を有し、雄側ファスナ要素１４は、パッド１０の少なくとも二面（上面及び背面）に取付けられる。このため、手袋の素材は、パッド１０の角部に沿って概ね直角に曲がり、比較的明確な段差が段部５０として掌部１１ｂの表面に現れる。
【００３２】
適度な硬度を有するウレタン樹脂発泡体又はメラミン樹脂発泡体等の樹脂発泡体、このような樹脂発泡体の熱圧縮加工品、或いは、弾力的な樹脂一体成形品等が芯材１７としてパッド１０内に収容される。
【００３３】
カバー１６は、手袋本体１１の素材と同様の素材、例えば、天然皮革、人工皮革又は合成皮革等の布状材料よりなり、芯材１７を挿入可能な袋体に縫製される。芯材１７は、袋内に挿入され、袋体の開口を縫合することにより、芯材１７を被覆するカバー１６が形成される。所望により、カバー１６の内側面は、粘着テープ又は接着剤により芯材１７の表面に貼着又は接着される。
【００３４】
パッド１０は、全体的に略直方体形状を有する。パッド１０の高さＴは、好ましくは、５mm以上の寸法に設定される。本実施例では、高さＴは、約１０mm程度に設定される。また、パッド１０の幅Ｗは、１０〜３０mm（本実施例では約２０mm）に設定され、パッド１０の長さＬは、４０〜８０mm（本実施例では約６０mm）に設定される。
【００３５】
図１３及び図１４は、パッド１０及び雌側ファスナ要素１５の構造を示す正面図、平面図、背面図、底面図、左側面図及び右側面図である。
【００３６】
図１３に示す如く、パッド１０の上面１０ａには、雄側ファスナ要素１５の第１部分１５ａが縫着又は接着され、パッド１０の背面１０ｂには、雄側ファスナ要素１５の第２部分１５ｂが縫着又は接着される。第１部分１５ａ及び第２部分１５ｂは、互いに約９０度の角度をなして配置され、フック状微細突起１９が、上面１０ａ及び背面１０ｂに配置される。
【００３７】
他方、雌型ファスナ要素１４は、図１４に示す如く、長方形の平面輪郭を有し、ファスナ要素１４の寸法は、パッド１０の寸法Ｌ：Ｗよりも大きく設定される。雌型ファスナ要素１４は、ループ状起毛１８を手袋１０の内側に向けた状態で掌部１１ｂの裏面に縫着又は接着される。
【００３８】
第１部分１５ａ及び第２部分１５ｂの双方を雌側ファスナ要素１４に止着することによって、パッド１０は、掌部裏面に着脱可能に取付けられる。雄側ファスナ要素１５がパッド１０の二面に取付けられているので、掌部１１ｂには、図１２に示すように段部５０が形成される。パッド１０は、手袋着用時に掌部１１ｂの表面を隆起させ、段部５０の段差は、ゴルフクラブのグリップ２の位置を規制するように掌部１１ｂの表面に延びる。
【００３９】
雌雄のファスナ要素１４、１５より構成される面状止着具１３は、接着剤等の化学物質の化学的結合手段と異なり、比較的容易に分離・止着可能な機械的結合手段をパッド１０及び掌部１１ｂの間に形成する。ゴルフプレーヤーは、パッド１０を任意に手袋１０に取付け又は取外すことができるばかりでなく、例えば、３０〜６０度の角度範囲内で角度αを任意に調節することができる。
【００４０】
なお、パッド１０を取外した場合、雌側ファスナ要素１４がゴルフプレーヤーの掌に直に接するが、雌側ファスナ要素１４のループ状起毛１８は、プレーヤーに不快感を与えない。
【００４１】
図１５は、パッド１０を取付けた手袋１を着用してゴルフクラブのグリップ２を握持した状態を示す正面図である。
【００４２】
段部５０は、ゴルフクラブのグリップ２を握持した状態で、グリップ２に当接し、グリップ２の位置は、パッド１０によって規制される。パッド１０は、面状止着具１３により手袋本体１１に着脱可能に取付けられているので、ゴルフプレーヤーは、パッド１０の位置（角度α、長さ方向位置、幅方向位置）を適当に調節し、プレーヤー自身の個性又は体型等に適した任意の位置にパッド１０を位置決めし、固定することができる。例えば、ゴルフプレーヤーは、グリップ２の位置又は方向に違和感や問題等を意識した場合、パッド１０を手袋１の内面から取外し、適切な位置及び方向に修正した状態で手袋内面に再び取付けることができる。プレーヤーは、一旦パッド１０を最適位置に位置決めした後は、ショット前のセットポジションの都度、段部５０とグリップ２との当接具合によりグリップ状態の適否を確認すれば良い。
【００４３】
パッド１０によって形成された隆起部は、ゴルフクラブのスイング時に手袋１の掌部１１ｂに生じ易い間隙（遊び空間）を占めるので、比較的弱い握力で適切にグリップ２をことができる安定感がセットアップ時に得られる。段部５０は、セットポジションにおいてグリップ２の角度を定めるように働くばかりでなく、スイング時のグリップ２の方向性を規制するので、クラブフェイス面の方向性は、安定する。
【００４４】
また、パッド１０によって掌部１１ｂに形成される隆起部は、ショット時に手袋１の掌部１１ｂに生じ易い間隙を塞ぎ、グリップ２の不要な動きを可能にする遊び（空隙）が掌に形成されるのを防止する。このため、グリップ握力低下に起因するミスショットや、フック又はスライス等が生じるのを防止することができる。
更には、隆起部及び段部５０の存在により、比較的弱い握力でグリップ２を適正に握持できる安心感がセットアップ時に得られるので、ゴルフプレーヤーは、比較的リラックスした状態でクラブスイングを行うことができ、これは、飛距離の増大や、ショットの方向安定性を自然にもたらすであろう。
【実施例２】
【００４５】
図１６は、他の実施例に係るパッドの構成を示す平面図、背面図、右側面図及び断面図である。
【００４６】
パッド１０の上面及び背面に広がる一枚の連続的な雄側ファスナ要素１５が、図１６に示されている。ファスナ要素１５は、カバー１６の一部を構成する。例えば、カバー１６の布状材料とファスナ要素１５とを縫合して、芯材１７を挿入可能な袋体を縫製することにより、このようなパッド１０を製作することができる。このような構成によれば、フック状微細突起１９は、上面１０ａと背面１０ｂとの連接部で途切れずに上面１０ａから背面１０ｂに広がる。
【００４７】
以上、本発明の好適な実施例について詳細に説明したが、本発明は、上記実施例に限定されるものではなく、特許請求の範囲に記載した発明の範囲内で種々の変形又は変更が可能であり、そのような変形例又は変更例も又、本発明の範囲内に含まれるものであることは、いうまでもない。
例えば、縫着や接着に換えて、熱溶着等の他の固着手段を用いて雄側ファスナ要素１５をパッド１０に固着しても良い。
【００４８】
また、パッド１０及び面状止着具１３の寸法及び形状は、プレーヤーの手の形状及び大きさ等に適した任意の形態に設計変更することができる。
【００４９】
更には、パッド１０又はファスナ要素１４、１５を適当に分割することも可能である。
【００５０】
なお、上記実施例では、右利きプレーヤーが左手に着用する手袋に関して説明したが、本発明は、左利きプレーヤーが右手に着用する手袋についても同様に適応する。
【産業上の利用可能性】
【００５１】
本発明は、利き腕と反対側の手に着用されるゴルフ用手袋に適用される。
【図面の簡単な説明】
【００５２】
【図１】本発明の先行技術に係るゴルフ用手袋を手の甲側から見た状態で示す部分破断断面図である。
【図２】図１に示すゴルフ用手袋を掌側から見た状態で示す正面図である。
【図３】図２のＡ−Ａ線における拡大断面図である。
【図４】パッドの着脱方法を示すゴルフ用手袋の部分破断断面図である。
【図５】パッドを止着した手袋を着用してゴルフクラブのグリップを握持した状態を示す正面図である。
【図６】パッドにより手袋の掌部表面に形成される突条の断面図である。
【図７】本発明の第１実施例に係るゴルフ用手袋を手の甲側から見た状態で示す部分破断断面図である。
【図８】図７に示すゴルフ用手袋を掌側から見た状態で示す正面図である。
【図９】図８に示す段部を陰影で示す拡大正面図である。
【図１０】図９に示す段部を手袋の内側（掌部裏面側）から見た拡大裏面図である。
【図１１】図９のＢ−Ｂ線における拡大断面図である。
【図１２】図９のＣ−Ｃ線における拡大断面図である。
【図１３】図７〜図１２に示すパッドの構造を示す正面図、平面図、背面図、底面図、左側面図及び右側面図である。
【図１４】図７〜図１２に示す雌側ファスナ要素の構造を示す正面図、平面図、背面図、底面図、左側面図及び右側面図である。
【図１５】図７〜図１４に示す手袋を着用してゴルフクラブのグリップを握持した状態を示す正面図である。
【図１６】本発明の第２実施例に係るパッドを示す平面図、背面図、右側面図及び断面図である。
【符号の説明】
【００５３】
１      ゴルフ用手袋
２      ゴルフクラブのグリップ 
１０      パッド 
１１      手袋本体 
１１ｂ    掌部 
１３      面状止着具
１４      雌側ファスナ要素（第１ファスナ要素）
１５      雄側ファスナ要素（第２ファスナ要素）
１６      カバー
１７      芯材
５０      段部
【図１】
2005177383.tif 000003
【図２】
2005177383.tif 000004
【図３】
2005177383.tif 000005
【図４】
2005177383.tif 000006
【図５】
2005177383.tif 000007
【図６】
2005177383.tif 000008
【図７】
2005177383.tif 000009
【図８】
2005177383.tif 000010
【図９】
2005177383.tif 000011
【図１０】
2005177383.tif 000012
【図１１】
2005177383.tif 000013
【図１２】
2005177383.tif 000014
【図１３】
2005177383.tif 000015
【図１４】
2005177383.tif 000016
【図１５】
2005177383.tif 000017
【図１６】
2005177383.tif 000018